(57)【特許請求の範囲】
【請求項１】
物体側から像側に順に、
正屈折力の第１レンズ群と、
最も像側のレンズが像側に凸の負メニスカス形状の単レンズである負屈折力の第２レンズ群と、
３枚または４枚のレンズからなり、最も像側のレンズ面が像側に凸である正屈折力の第３レンズ群と、
負屈折力の第４レンズ群と、
最も像側のレンズ面が像側に凸である正屈折力の第５レンズ群と、からなり、
前記第２レンズ群の最も像側のレンズ面から前記第３レンズ群の最も像側のレンズ面までの間に、開口絞りを有し、
広角端から望遠端への変倍時、
前記第１レンズ群は移動し、
前記開口絞りは、前記第３レンズ群と共に移動し、
前記第５レンズ群は位置が固定であり、
前記第１レンズ群と前記第２レンズ群との間隔は広がり、
前記第２レンズ群と前記第３レンズ群との間隔は狭まり、
前記第３レンズ群と前記第４レンズ群との間隔は変動し、
前記第４レンズ群と前記第５レンズ群との間隔は変動し、
前記第３レンズ群は物体側から像側に順に、正レンズ、負レンズ、正レンズの３枚のレンズ、または、正レンズ、正レンズ、負レンズ、正レンズの４枚のレンズからなり、
以下の条件（９−１）を満足することを特徴とするズームレンズ。
−５＜（ｒ21F＋ｒ21R）／（ｒ21F−ｒ21R）≦−１．３０      （９−１）
ここで、
ｒ21Fは、前記第２レンズ群の最も像側の前記負メニスカス形状の単レンズの物体側面の曲率半径、
ｒ21Rは、前記第２レンズ群の最も像側の前記負メニスカス形状の単レンズの像面側面の曲率半径、
である。
【請求項２】
以下の条件（１）、（２）を満足することを特徴とする請求項１に記載のズームレンズ。
−１．３＜β2t＜−０．４      （１）
−１．６＜β3t＜−０．６      （２）
ここで、
β2tは、望遠端での前記第２レンズ群の倍率、
β3tは、望遠端での前記第３レンズ群の倍率、
であって、いずれも無限遠物点合焦時の倍率、
である。
【請求項３】
以下の条件（３）を満足することを特徴とする請求項１または２に記載のズームレンズ。
０．３５＜β2t／β3t＜１．０５      （３）
ここで、
β2tは、望遠端での前記第２レンズ群の倍率、
β3tは、望遠端での前記第３レンズ群の倍率、
であって、いずれも無限遠物点合焦時の倍率、
である。
【請求項４】
以下の条件（４）を満足することを特徴とする請求項１から３のいずれか１項に記載のズームレンズ。
０．９＜Ｌｔ／ｆｔ＜１．３０      （４）
ここで、
Ｌｔは、望遠端での前記ズームレンズの光学全長であって、無限遠物点合焦時の光学全長、
ｆｔは、望遠端での前記ズームレンズ全系の焦点距離、
である。
【請求項５】
以下の条件（５）を満足することを特徴とする請求項１から４のいずれか１項に記載のズームレンズ。
−０．２７＜β2w＜−０．１８      （５）
ここで、
β2wは、広角端での前記第２レンズ群の倍率であって、無限遠物点合焦時の倍率、
である。
【請求項６】
以下の条件（６）を満足することを特徴とする請求項１から５のいずれか１項に記載のズームレンズ。
０．３５＜ｆ1G／Ｌｔ＜０．７５      （６）
ここで、
Ｌｔは、望遠端での前記ズームレンズの光学全長であって、無限遠物点合焦時の光学全長、
ｆ1Gは、前記第１レンズ群の焦点距離、
である。
【請求項７】
前記第４レンズ群が１面以上の非球面を有していることを特徴とする請求項１から６のいずれか１項に記載のズームレンズ。
【請求項８】
前記第３レンズ群内で最も長い空気間隔が、前記第３レンズ群内の負レンズのうち最も長い中肉厚よりも大きいことを特徴とする請求項１から７のいずれか１項に記載のズームレンズ。
【請求項９】
以下の条件（７）を満足することを特徴とする請求項１から８のいずれか１項に記載の
ズームレンズ。
−１４＜（ｒ11F＋ｒ11R）／（ｒ11F−ｒ11R）＜−１．５      （７）
ここで、
ｒ11Fは、前記第１レンズ群の最も物体側のレンズ面の曲率半径、
ｒ11Rは、前記第１レンズ群の最も像側のレンズ面の曲率半径、
である。
【請求項１０】
請求項１から９のいずれか１項に記載のズームレンズと、
撮像面を有する撮像素子を備えたことを特徴とする撮像装置。
【発明の詳細な説明】
【技術分野】
【０００１】
本発明は、ズームレンズ及びそれを備えた撮像装置に関するものである。
【背景技術】
【０００２】
近年、撮像素子の高画素数化やデジタル画像処理技術の進展により、デジタルカメラが銀塩３５ｍｍフィルムカメラにとって代わった。また、小型の液晶パネルの画素数も増えてきたことから、小型の液晶パネルをファインダーとして用いることができるようになってきた。そのため、レンズ交換式カメラも、いわゆる一眼レフレックス方式からクイックリターンミラーを廃止した新しいコンセプトのカメラに移行しつつある。
【０００３】
新しいコンセプトのカメラでは、クイックリターンミラーが存在しない。そのため、このようなカメラに用いられる撮像光学系については、バックフォーカスがある程度短く、高い結像性能を持つ撮像光学系の設計が可能となった。
【０００４】
また、一眼レフレックス方式では、撮像光学系で得られるファインダー像の大きさが、撮像光学系の結像サイズ（イメージサークル径）に依存していた。これに対して、新しいコンセプトのカメラでは、このような制約がなくなる。そのため、撮像素子のフォーマットサイズが小さくても、大きなファインダー像が得られる。加えて、小型で高性能な撮像光学系の設計が可能となった。
【０００５】
一方、バックフォーカスが短く、撮像素子のフォーマットサイズが小さなカメラとして、撮像光学系がカメラ本体に固定されている小型カメラ（通称、コンパクトカメラ）が普及している。このような小型カメラに適したズームレンズとして、特許文献１、２に開示されたズームレンズがある。特許文献１、２のズームレンズは、物体側から順に、正レンズ群、負レンズ群、正レンズ群、負レンズ群、正レンズ群の５つのレンズ群からなる。
【０００６】
屈折力配置（レンズ群の屈折力の並び）が、正・負・正・負・正となる構成は、正先行タイプと呼ばれる構成の１つである。正先行タイプのズームレンズとして最も基本的な構成は、４群ズームレンズ（正レンズ群、負レンズ群、正レンズ群、正レンズ群の４つのレンズ群からなるズームレンズ）である。正・負・正・負・正の屈折力配置は、この４群ズームレンズのうちの、第３レンズ群と第４レンズ群との間に、負屈折力のレンズ群を加えたものである。このようにすることで、ズームレンズの光学全長が増大しがちな望遠端において、ズームレンズの光学全長を短くしつつ、変倍率を高めている。なお、５群構成から更にレンズ群を増やしても、このような効果が増すことは少ない。
【０００７】
ところで、レンズ交換式カメラズームレンズでは、ズームレンズの光学全長と各レンズの厚みの総和とのバランスをとることが重要である。また、カメラ取り付けフランジ面からの突出量についても制限がある。このようなことから、レンズ交換式カメラのズームレンズでは、バックフォーカスには、ある程度の長さが必要である。一方で、レンズ交換式カメラにおける画質は、コンパクトカメラのそれよりも高いレベルが要求される。そのため、より多くの画素数を確保する上で、レンズ交換式カメラには、フォーマットサイズがある程度の大きさを持つ撮像素子を用いる必要がある（但し、近年の固体撮像素子の画素サイズは銀塩粒子よりも小さいため、１３５フォーマットやＡＰＳ−Ｃより小さくても十分な画質が得られる）。
【先行技術文献】
【特許文献】
【０００８】
【特許文献１】特開２００７−４７５３８公報
【特許文献２】特開２００８−３０４７０８号公報
【発明の概要】
【発明が解決しようとする課題】
【０００９】
しかしながら、バックフォーカスや撮像素子のフォーマットサイズが大きく異なると、光学系の構成も大きく異なってくる。例えば、特許文献１、２に開示されたズームレンズをベースにバックフォーカスを多少長くすることを考えた場合、負屈折力の第４レンズ群と正屈折力の第５レンズ群の屈折力が大きくなるほど、負屈折力の第２レンズ群と正屈折力の第３レンズ群の焦点距離の絶対値が小さくなるので、倍率の絶対値が大きくなる。その結果、変倍時、第２レンズ群と第３レンズ群の各々で、移動量が大きくなってしまう。この結果は、ズームレンズの小型化や薄型化に逆行する結果である。したがって、ある程度の長さのバックフォーカスを持ち、なお且つ、撮像素子のフォーマットサイズに適したズームレンズが必要になる。
【００１０】
本発明は、上記に鑑みてなされたものであって、広い画角と所望の長さのバックフォーカスとを有し、高い結像性能を有する小型で薄型のズームレンズ、及びズームレンズを備えた撮像装置を提供することを目的としている。
【課題を解決するための手段】
【００１１】
上述した課題を解決し、目的を達成するために、本発明のズームレンズは、
物体側から像側に順に、
正屈折力の第１レンズ群と、
最も像側のレンズが像側に凸の負メニスカス形状の単レンズである負屈折力の第２レンズ群と、
３枚または４枚のレンズからなり、最も像側のレンズ面が像側に凸である正屈折力の第３レンズ群と、
負屈折力の第４レンズ群と、
最も像側のレンズ面が像側に凸である正屈折力の第５レンズ群と、からなり、
第２レンズ群の最も像側のレンズ面から第３レンズ群の最も像側のレンズ面までの間に、開口絞りを有し、
広角端から望遠端への変倍時、
第１レンズ群は移動し、
開口絞りは、第３レンズ群と共に移動し、
第５レンズ群は位置が固定であり、
第１レンズ群と第２レンズ群との間隔は広がり、
第２レンズ群と第３レンズ群との間隔は狭まり、
第３レンズ群と第４レンズ群との間隔は変動し、
第４レンズ群と第５レンズ群との間隔は変動し、
第３レンズ群は物体側から像側に順に、正レンズ、負レンズ、正レンズの３枚のレンズ、または、正レンズ、正レンズ、負レンズ、正レンズの４枚のレンズからなり、
以下の条件（９−１）を満足することを特徴とする。
−５＜（ｒ21F＋ｒ21R）／（ｒ21F−ｒ21R）≦−１．３０      （９−１）
ここで、
ｒ21Fは、第２レンズ群の最も像側の負メニスカス形状の単レンズの物体側面の曲率半径、
ｒ21Rは、第２レンズ群の最も像側の負メニスカス形状の単レンズの像面側面の曲率半径、
である。
【００１５】
また、本発明の撮像装置は、
上記のズームレンズと、
撮像面を有する撮像素子を備えたことを特徴とする。
【発明の効果】
【００１６】
本発明によれば、広い画角と所望の長さのバックフォーカスとを有し、高い結像性能を有する小型で薄型のズームレンズ、及びズームレンズを備えた撮像装置を提供することができる。
【図面の簡単な説明】
【００１７】
【図１】実施例１にかかるズームレンズの無限遠物点合焦時の光学構成を示す光軸に沿う断面図であり、（ａ）は広角端、（ｂ）は中間、（ｃ）は望遠端での断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３】実施例２にかかるズームレンズの無限遠物点合焦時の光学構成を示す光軸に沿う断面図であり、（ａ）は広角端、（ｂ）は中間、（ｃ）は望遠端での断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図５】実施例３にかかるズームレンズの無限遠物点合焦時の光学構成を示す光軸に沿う断面図であり、（ａ）は広角端、（ｂ）は中間、（ｃ）は望遠端での断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図７】実施例４にかかるズームレンズの無限遠物点合焦時の光学構成を示す光軸に沿う断面図であり、（ａ）は広角端、（ｂ）は中間、（ｃ）は望遠端での断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図９】実施例５にかかるズームレンズの無限遠物点合焦時の光学構成を示す光軸に沿う断面図であり、（ａ）は広角端、（ｂ）は中間、（ｃ）は望遠端での断面図である。
【図１０】実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１１】実施例６にかかるズームレンズの無限遠物点合焦時の光学構成を示す光軸に沿う断面図であり、（ａ）は広角端、（ｂ）は中間、（ｃ）は望遠端での断面図である。
【図１２】実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１３】実施例７にかかるズームレンズの無限遠物点合焦時の光学構成を示す光軸に沿う断面図であり、（ａ）は広角端、（ｂ）は中間、（ｃ）は望遠端での断面図である。
【図１４】実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１５】実施例８にかかるズームレンズの無限遠物点合焦時の光学構成を示す光軸に沿う断面図であり、（ａ）は広角端、（ｂ）は中間、（ｃ）は望遠端での断面図である。
【図１６】実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例９にかかるズームレンズの無限遠物点合焦時の光学構成を示す光軸に沿う断面図であり、（ａ）は広角端、（ｂ）は中間、（ｃ）は望遠端での断面図である。
【図１８】実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例１０にかかるズームレンズの無限遠物点合焦時の光学構成を示す光軸に沿う断面図であり、（ａ）は広角端、（ｂ）は中間、（ｃ）は望遠端での断面図である。
【図２０】実施例１０にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例１１にかかるズームレンズの無限遠物点合焦時の光学構成を示す光軸に沿う断面図であり、（ａ）は広角端、（ｂ）は中間、（ｃ）は望遠端での断面図である。
【図２２】実施例１１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例１２にかかるズームレンズの無限遠物点合焦時の光学構成を示す光軸に沿う断面図であり、（ａ）は広角端、（ｂ）は中間、（ｃ）は望遠端での断面図である。
【図２４】実施例１２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例１３にかかるズームレンズの無限遠物点合焦時の光学構成を示す光軸に沿う断面図であり、（ａ）は広角端、（ｂ）は中間、（ｃ）は望遠端での断面図である。
【図２６】実施例１３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】本実施例によるズームレンズを交換レンズとして用いたレンズ交換式カメラの断面図である。
【図２８】本実施例によるレンズ交換式カメラの外観を示す前方斜視図である。
【図２９】図２８のレンズ交換式カメラの後方斜視図である。
【図３０】図２８のレンズ交換式カメラの主要部の内部回路の構成ブロック図である。
【発明を実施するための形態】
【００１８】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。また、以下の説明において、第２実施形態〜第４実施形態は参考例である。
【００１９】
第１実施形態のズームレンズは、物体側から像側に順に、正屈折力の第１レンズ群と、最も像側のレンズが像側に凸の負メニスカス形状の単レンズである負屈折力の第２レンズ群と、３枚または４枚のレンズからなり、最も像側のレンズ面が像側に凸である正屈折力の第３レンズ群と、負屈折力の第４レンズ群と、最も像側のレンズ面が像側に凸である正屈折力の第５レンズ群と、からなり、第２レンズ群の最も像側のレンズ面から第３レンズ群の最も像側のレンズ面までの間に、開口絞りを有し、広角端から望遠端への変倍時、第１レンズ群は移動し、開口絞りは、第３レンズ群と共に移動し、第５レンズ群は位置が固定であり、第１レンズ群と第２レンズ群との間隔は広がり、第２レンズ群と第３レンズ群との間隔は狭まり、第３レンズ群と第４レンズ群との間隔は変動し、第４レンズ群と第５レンズ群との間隔は変動することを特徴とする。
【００２０】
本実施形態のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、からなる。屈折力配置（屈折力の並び）を、正・負・正・負・正とすることで、所望の長さのバックフォーカスを得ることができ、また、撮像素子のフォーマットサイズが大きくても、高い結像性能を実現することができる。
【００２１】
また、所望の長さのバックフォーカスを確保しながらも、ズームレンズの光学全長を短縮すること、すなわち、薄型なズームレンズを実現する必要がある。そのためには、望遠端でのズームレンズの光学全長の増大を抑制しなくてはならない。また、高い結像性能の維持も必要である。
【００２２】
そこで、開口絞りを、第２レンズ群の最も像面側から第３レンズ群の最も像面側までの間に配置している。このようにすると、光線高を低くできるので、球面収差やコマ収差などの良好な補正に有利となる。また、ズームレンズの小型化にも有利である。なお、第２レンズ群の最も像面側とは、第２レンズ群のレンズ面のうちの、最も像側に位置するレンズ面のことである。同様に、第３レンズ群の最も像面側とは、第３レンズ群のレンズ面のうちの、最も像側に位置するレンズ面のことである。また、開口絞りを、変倍時、第３レンズ群と共に移動させている。
【００２３】
また、変倍時、第５レンズ群を固定としている。このようにすると、鏡枠の機構を簡易にできるので、ズームレンズの小型化に有利である。また、第５レンズ群を固定にすることにより、偏心などの製造誤差に対して有利になる。なお、変倍時、第５レンズ群を移動させても、固定しておいても、第４レンズ群と第５レンズ群の間隔が可変であることには変わりはなく、また、収差補正の面でも問題はない（良好な収差補正ができる）。このような点からも、変倍時、第５レンズ群は固定であることが好ましい。
【００２４】
また、第４レンズ群と第５レンズ群の合成屈折力は小さくても、非点収差の変動など軸外収差に対する補正効果があるので、この点で、第４レンズ群と第５レンズ群は重要な役割を担っている。
【００２５】
また、広角端から望遠端への変倍時、第１レンズ群と第２レンズ群との間隔は広がり、第２レンズ群と第３レンズ群との間隔は狭まり、第３レンズ群と第４レンズ群との間隔は変動し、第４レンズ群と第５レンズ群との間隔は変動する。このようにすることで、望遠側でのズームレンズの光学全長の増大を抑制することができる。
【００２６】
なお、第４レンズ群と第５レンズ群の間隔が大きくなるように、第４レンズ群と第５レンズ群を移動させても良い。このようにすることで、望遠側でのズームレンズの光学全長の増大を、より抑制することができる。
【００２７】
本実施形態のズームレンズは、以上の基本構成を備えると共に、以下の条件（９−１）を満足する。条件（９−１）の技術的意義は、後述の条件（９）の技術的意義と同じである。
−５＜（ｒ21F＋ｒ21R）／（ｒ21F−ｒ21R）≦−１．３０      （９−１）
ここで、
ｒ21Fは、第２レンズ群の最も像側の負メニスカス形状の単レンズの物体側面の曲率半径、
ｒ21Rは、第２レンズ群の最も像側の負メニスカス形状の単レンズの像面側面の曲率半径、
である。
また、第２レンズ群の最も像面側に、負レンズを配置しても良い。これにより、中心と周辺での光路差をつけることができるので、球面収差や非点収差の補正に有利になる。又、第２レンズ群のレンズ径を小さくすることができるので、ズームレンズの小型化にも有利となる。
【００２８】
また、第２実施形態のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、からなり、第２レンズ群の最も像面側から第３レンズ群の最も像面側までの間に、開口絞りを有し、変倍時、開口絞りは、第３レンズ群と共に移動し、第５レンズ群は固定であり、広角端から望遠端への変倍時、第１レンズ群と第２レンズ群との間隔は広がり、第２レンズ群と第３レンズ群との間隔は狭まり、第３レンズ群と第４レンズ群との間隔は変動し、第４レンズ群と第５レンズ群との間隔は変動し、以下の条件（１）、（２）を満足することを特徴とする。
−１．３＜β2t＜−０．４      （１）
−１．６＜β3t＜−０．６      （２）
ここで、
β2tは、望遠端での第２レンズ群の倍率、
β3tは、望遠端での第３レンズ群の倍率、
であって、いずれも無限遠物点合焦時の倍率、
である。
【００２９】
第２実施形態のズームレンズは、第１実施形態のズームレンズの基本構成を備える。第１実施形態のズームレンズの基本構成については既に説明したので、ここでは、基本構成についての説明は省略する。
【００３０】
第１実施形態のズームレンズは、以上の基本構成を備えた上で、以下の条件（１）、（２）を満足する。
−１．３＜β2t＜−０．４      （１）
−１．６＜β3t＜−０．６      （２）
ここで、
β2tは、望遠端での第２レンズ群の倍率、
β3tは、望遠端での第３レンズ群の倍率、
であって、いずれも無限遠物点合焦時の倍率、
である。
【００３１】
第２レンズ群と第３レンズ群は、変倍をつかさどるレンズ群である。条件（１）、（２）を満足することで、第２レンズ群と第３レンズ群の各々について、移動量の増大を抑制することができる。これにより、望遠端でのズームレンズの光学全長が増大することを抑制できる。更に、軸上色収差、倍率色収差、コマ収差及び非点収差の各々について、変倍時における変動が抑制できる。
【００３２】
条件（１）、（２）の上限値を共に上回ると、望遠端でのズームレンズの光学全長が増大しやすくなる。また、変倍時、各レンズ群における軸上色収差や倍率色収差などの変動の抑制が困難になる。条件（１）、（２）の下限値を共に下回ると、移動が許容される範囲内で第２レンズ群と第３レンズ群を移動させても、所望のズーム比を得ることが困難となる。なお、所望のズーム比を得ようとすると、特に、変倍時におけるコマ収差や非点収差の変動が大きくなりやすい。
【００３３】
なお、条件（１）、（２）に代えて、以下の条件（１’）、（２’）を満足すると良い。
−１．２＜β2t＜−０．４５      （１’）
−１．５＜β3t＜−０．７      （２’）
さらに、条件（１）、（２）に代えて、以下の条件（１’’）、（２’’）を満足するとなお良い。
−１．１＜β2t＜−０．５      （１’’）
−１．４＜β3t＜−０．８      （２’’）
【００３４】
また、第３実施形態のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、からなり、第２レンズ群の最も像面側から第３レンズ群の最も像面側までの間に、開口絞りを有し、変倍時、開口絞りは、第３レンズ群と共に移動し、第５レンズ群は固定であり、広角端から望遠端への変倍時、第１レンズ群と第２レンズ群との間隔は広がり、第２レンズ群と第３レンズ群との間隔は狭まり、第３レンズ群と第４レンズ群との間隔は変動し、第４レンズ群と第５レンズ群との間隔は変動し、以下の条件（３）を満足することを特徴とする。
０．３５＜β2t／β3t＜１．０５      （３）
ここで、
β2tは、望遠端での第２レンズ群の倍率、
β3tは、望遠端での第３レンズ群の倍率、
であって、いずれも無限遠物点合焦時の倍率、
である。
【００３５】
第３実施形態のズームレンズは、第１実施形態のズームレンズの基本構成を備える。第１実施形態のズームレンズの基本構成については既に説明したので、ここでは、基本構成についての説明は省略する。
【００３６】
第１実施形態のズームレンズは、前述の基本構成を備えた上で、以下の条件（３）を満足する。
０．３５＜β2t／β3t＜１．０５      （３）
ここで、
β2tは、望遠端での第２レンズ群の倍率、
β3tは、望遠端での第３レンズ群の倍率、
であって、いずれも無限遠物点合焦時の倍率、
である。    
【００３７】
本実施形態のズームレンズは、条件（１）、（２）に代えて、条件（３）を満足するようにしたものである。
【００３８】
前述のように、第２レンズ群と第３レンズ群は、変倍をつかさどるレンズ群である。条件（３）を満足することで、第２レンズ群と第３レンズ群の各々について、移動量の増大を抑制することができる。これにより、望遠端でのズームレンズの光学全長が増大することを抑制できる。更に、軸上色収差、倍率色収差、コマ収差及び非点収差の各々について、変倍時における変動が抑制できる。
【００３９】
条件（３）の上限値を上回ると、望遠端での各レンズ群の軸上色収差や倍率色収差などの補正ができなくなるので、高い結像性能の確保が困難になる。条件（３）の下限値を下回ると、望遠端でのズームレンズの光学全長が増大しやすくなる。ズームレンズの光学全長の増大を抑えようとすると、所望のズーム比を得ることが困難となる。
【００４０】
以上説明したように、本実施形態のズームレンズは、前述の基本構成を備えた上で、条件（１）および（２）、または、条件（３）の何れかを満たしさえすれば、広い画角と所望の長さのバックフォーカスとを有し、高い結像性能を有し、かつ、小型で薄型な構成となる。
【００４１】
なお、条件（３）に代えて、以下の条件（３’）を満足すると良い。
０．３８＜β2t／β3t＜１．００      （３’）
さらに、条件（３）に代えて、以下の条件（３’’）を満足するとなお良い。
０．４０＜β2t／β3t＜０．９５      （３’’）
【００４２】
また、第４実施形態のズームレンズは、物体側から像側に順に、正屈折力の第１レンズ群と、負屈折力の第２レンズ群と、正屈折力の第３レンズ群と、負屈折力の第４レンズ群と、正屈折力の第５レンズ群と、からなり、広角端から望遠端への変倍に際して、第１レンズ群と第２レンズ群との間隔は広がり、第２レンズ群と第３レンズ群との間隔は狭まり、第３レンズ群と第４レンズ群との間隔は変動し、第４レンズ群と第５レンズ群との間隔は変動し、第５レンズ群は広角端から望遠端への変倍に際して位置が固定であり、第２レンズ群の最も像面側から第３レンズ群の最も像面側の間に開口絞りを有し、変倍の際、開口絞りは第３レンズ群とともに移動し、第２レンズ群に少なくとも負レンズと正レンズを有し、第２レンズ群に少なくとも１面以上の非球面を有し、横軸をＮｄ、及び縦軸をνｄとする直交座標系において、Ｎｄｐ＝α×νｄｐ＋β、但し、α＝−０．０１７、で表される直線を設定したときに、以下の条件式（１０）の範囲の下限値であるときの直線、及び上限値であるときの直線で定まる領域と、以下の条件式（１１）及び（１２）で定まる領域との両方の領域に、第２レンズ群内の正レンズが含まれ、且つ、第２レンズ群の最も物体側に負レンズを有し、この負レンズ以外の負レンズにて以下の条件式（１３）、（１４）を満足することを特徴とする。
１．４５＜β＜２．１５      （１０）
１．５０＜Ｎｄp＜１．７０      （１１）
５＜νｄp＜４０      （１２）
１．４＜Ｎｄn＜１．６５      （１３）
４５＜νｄn＜９５      （１４）
ここで、
Ｎｄpは、第２レンズ群内の正レンズの屈折率の平均、
νｄpは、第２レンズ群内の正レンズのアッベ数の平均、
Ｎｄnは、第２レンズ群内の最も物体側の負レンズ以外の負レンズの屈折率の平均、
νｄnは、第２レンズ群内の最も物体側の負レンズ以外の負レンズのアッベ数の平均、
である。
【００４３】
ある程度のバックフォーカスを確保しながらも光学系の全長を短縮し、薄型なズームレンズを得ることが目的であるから、これによる固有の問題点である光学系の全長を短縮した際の性能劣化を抑制することが課題である。これを解消するために、上記の条件を満足することが好ましい。
【００４４】
正レンズ群・負レンズ群・正レンズ群・負レンズ群・正レンズ群の５群構成をとり、且つ、第２レンズ群と第３レンズ群を広角端から望遠端まで変倍（移動）させ、負の第４レンズ群と正の第５レンズ群の間隔が変動することで望遠側での光学系の全長の増大を抑制している。このような正レンズ群・負レンズ群・正レンズ群・負レンズ群・正レンズ群の５群構成が、ある程度のバックフォーカスや撮像素子フォーマットサイズがある場合の光学系として最も適している。なお、第４レンズ群以降の合成系はパワーが小さくなっても、非点収差の変動など軸外収差補正効果がある。
【００４５】
また、第５レンズ群が変倍時固定されていることにより、鏡枠の機構を簡易にでき、小型化に優位である。また、第５レンズ群が変倍時固定で且つ第４レンズ群との間隔を可変としていることで、偏心等による収差劣化が少なくなり、且つ、第４レンズ群と第５レンズ群の間隔が可変であることで十分な収差補正効果を得ることができる。
【００４６】
また、第２レンズ群の最も像面側から第３レンズ群の最も像面側の間に開口絞りを有し、開口絞りを第３レンズ群とともに変動させることで、光線高を低く出来球面収差やコマ収差などの補正に優位になる。また、光線高を下げられることにより小型化にも優位である。
【００４７】
また、第２レンズ群は、メインの変倍機能を持たせることで、広角端で軸外収差であるコマ収差や像面湾曲、倍率の色収差などを補正し、望遠端では軸上収差である球面収差や軸上の色収差などを補正している。第２レンズ群の群内構成（レンズ）が条件式（１０）〜（１４）を満足するようにし、且つ非球面を用いることにより、広角端と望遠端の収差補正を両立でき小型化することができている。なお、レンズ成分は、単レンズまたは接合レンズであって、空気と接触する面を２つ有している。
【００４８】
条件式（１０）の下限値を下回ると、球面収差、コマ収差及び歪曲収差の補正が困難となり、高い結像性能の確保ができない。高い結像性能を確保しようとすると、小型化が困難になる。一方、条件式（１０）の上限値を上回ると、特に高次の色収差の補正が困難になり、高い結像性能の確保ができない。高い結像性能を確保しようとすると、小型化が困難になる。
【００４９】
条件式（１１）の下限値を下回ると、球面収差、コマ収差及び歪曲収差の補正が困難となり、高い結像性能の確保ができない。高い結像性能を確保しようとすると、小型化が困難になる。一方、条件式（１１）の上限値を上回ると、特に高次の色収差の補正が困難になり、高い結像性能の確保ができない。高い結像性能を確保しようとすると、小型化が困難になる。
【００５０】
条件式（１２）の下限値を下回るか、上限値を上回ると、広角端での倍率色収差と望遠端での軸上色収差の両立が困難になり、高い結像性能の確保ができない。高い結像性能を確保しようとすると、小型化が困難になる。
【００５１】
条件式（１３）の下限値を下回ると、球面収差、コマ収差及び歪曲収差の補正が困難となり、高い結像性能の確保ができない。高い結像性能を確保しようとすると、小型化が困難になる。一方、条件式（１３）の上限値を上回ると、特に高次の色収差の補正が困難になり、高い結像性能の確保ができない。高い結像性能を確保しようとすると、小型化が困難になる。  
【００５２】
条件式（１３）の下限値を下回るか、上限値を上回ると、広角端での倍率色収差と望遠端での軸上色収差の両立が困難になり、高い結像性能の確保ができない。高い結像性能を確保しようとすると、小型化が困難になる。
【００５３】
なお、条件（１０）に代えて、以下の条件（１０’）を満足すると良い。
１．４８＜β＜２．１０      （１０’）
さらに、条件（１０）に代えて、次の条件式（１０’’）を満足するとなお良い。
１．５０＜β＜２．０７      （１０’’）
なお、条件（１１）に代えて、以下の条件（１１’）を満足すると良い。
１．５３＜Ｎｄp＜１．６８      （１１’）
さらに、条件（１１）に代えて、次の条件式（１１’’）を満足するとなお良い。
１．５５＜Ｎｄp＜１．６５      （１１’’）
なお、条件（１２）に代えて、以下の条件（１２’）を満足すると良い。
１０＜νｄp＜３８      （１２’）
さらに、条件（１２）に代えて、次の条件式（１２’’）を満足するとなお良い。
１５＜νｄp＜３５      （１２’’）
なお、条件（１３）に代えて、以下の条件（１３’）を満足すると良い。
１．４３＜Ｎｄn＜１．６３      （１３’）
さらに、条件（１３）に代えて、次の条件式（１３’’）を満足するとなお良い。
１．４５＜Ｎｄn＜１．６      （１３’’）
なお、条件（１４）に代えて、以下の条件（１４’）を満足すると良い。
４８＜νｄn＜９３      （１４’）
さらに、条件（１４）に代えて、次の条件式（１４’’）を満足するとなお良い。
５０＜νｄn＜９１      （１４’’）
【００５４】
また、第１から第４の実施形態のズームレンズ（以下、適宜、本実施形態のズームレンズとする）は、以下の条件（４）を満足することが好ましい。
０．９＜Ｌｔ／ｆｔ＜１．３０      （４）
ここで、
Ｌｔは、望遠端でのズームレンズの光学全長であって、無限遠物点合焦時の光学全長、
ｆｔは、望遠端でのズームレンズ全系の焦点距離、
である。
【００５５】
条件（４）の上限値を下回ることで、望遠端でのズームレンズの光学全長を短縮し、ズームレンズをより小型化することができる。条件（４）の下限値を上回ると、軸上色収差や倍率色収差などを良好に補正し、高い結像性能を確保することができる。
【００５６】
なお、ズームレンズの光学全長とは、ズームレンズの最も物体側のレンズ面から像位置までの距離であって、この距離は、空気換算しない距離である。
【００５７】
なお、条件（４）に代えて、以下の条件（４’）を満足すると良い。
０．９５＜Ｌｔ／ｆｔ＜１．２９      （４’）
さらに、条件（４）に代えて、以下の条件（４’’）を満足するとなお良い。
１＜Ｌｔ／ｆｔ＜１．２８      （４’’）
【００５８】
また、本実施形態のズームレンズは、以下の条件（５）を満足することが好ましい。
−０．２７＜β2w＜−０．１８      （５）
ここで、
β2wは、広角端での第２レンズ群の倍率であって、無限遠物点合焦時の倍率、
である。
【００５９】
条件（５）の上限値を下回ると、望遠端での軸上色収差が悪化しないため、高い結像性能が確保できる。また、広角端での第２レンズ群の倍率が大きくなりすぎないので、第１レンズ群の焦点距離を短くする必要がない。この場合、第１レンズ群におけるレンズの曲率半径が小さくならないので、第１レンズ群の厚さが厚くならない。また、第１レンズ群におけるレンズの径が大きくならない。以上のことから、ズームレンズの小型化が容易になる。条件（５）の下限値を上回ると、望遠端でのズームレンズの光学全長が増大しにくくなる。この増大を抑えなくても良いので、所望のズーム比を得ることが容易となる。
【００６０】
なお、条件（５）に代えて、以下の条件（５’）を満足すると良い。
−０．２６＜β2w＜−０．１９      （５’）
さらに、条件（５）に代えて、以下の条件（５’’）を満足するとなお良い。
−０．２５＜β2w＜−０．２      （５’’）
【００６１】
また、本実施形態のズームレンズは、以下の条件（６）を満足することが好ましい。
０．３５＜ｆ1G／Ｌｔ＜０．７５      （６）
ここで、
Ｌｔは、望遠端でのズームレンズの光学全長であって、無限遠物点合焦時の光学全長、
ｆ1Gは、第１レンズ群の焦点距離、
である。
【００６２】
条件（６）の上限値を下回ると、第１レンズ群の焦点距離が大きくなり過ぎない（第１レンズ群の屈折力が小さくなり過ぎない）ので、望遠端でのズームレンズの光学全長が増大しにくくなる。この増大を抑えなくても良いので、所望のズーム比を得ることが容易になる。条件（６）の下限値を上回ると、第１レンズ群の焦点距離が小さくなり過ぎない（第１レンズ群の屈折力が大きくなり過ぎない）ので、広角端と望遠端の両方において、軸上色収差や倍率色収差などを良好に補正することが容易になる。
【００６３】
なお、条件（６）に代えて、以下の条件（６’）を満足すると良い。
０．４＜ｆ1G／Ｌｔ＜０．７      （６’）
さらに、条件（６）に代えて、以下の条件（６’’）を満足するとなお良い。
０．４５＜ｆ1G／Ｌｔ＜０．６５      （６’’）
【００６４】
また、本実施形態のズームレンズは、第４レンズ群が１面以上の非球面を有していることが好ましい。
【００６５】
この構成にすることにより、第４レンズ群で発生するコマ収差と、望遠端での球面収差を良好に補正することができる。加えて、所望の長さのバックフォーカスを確保しながらも、ズームレンズの光学全長の短縮ができるので、薄型なズームレンズを得ることができる。
【００６６】
また、本実施形態のズームレンズは、第３レンズ群の空気間隔が、第３レンズ群内の負レンズの中肉厚よりも大きいことが好ましい。
【００６７】
この構成にすることにより、望遠端での非点収差を良好に補正することができる。加えて、所望の長さのバックフォーカスを確保しながらも、ズームレンズの光学全長の短縮ができるので、薄型なズームレンズを得ることができる。なお、中肉厚とは、光軸上の厚みのことである。
【００６８】
また、本実施形態のズームレンズは、以下の条件（７）を満足することが好ましい。
−１４＜（ｒ11F＋ｒ11R）／（ｒ11F−ｒ11R）＜−１．５      （７）
ここで、
ｒ11Fは、第１レンズ群の最も物体側のレンズ面の曲率半径、
ｒ11Rは、第１レンズ群の最も像側のレンズ面の曲率半径、
である。
【００６９】
条件（７）の上限値を下回ると、望遠端での球面収差や軸上色収差を良好に補正することが容易になるので、高い結像性能を確保できる。条件（７）の下限値を上回ると、望遠端でのズームレンズの光学全長が増大しにくくなる。この増大を抑えなくても良いので、所望のズーム比を得ることが容易となる。なお、第１レンズ群の最も物体側の曲率半径とは、第１レンズ群のレンズ面のうちの、最も物体側に位置するレンズ面の曲率半径のことである。同様に、第１レンズ群の最も像面側の曲率半径とは、第１レンズ群のレンズ面のうちの、最も像側に位置するレンズ面の曲率半径のことである。
【００７０】
なお、条件（７）に代えて、以下の条件（７’）を満足すると良い。
−１３．５＜（ｒ11F＋ｒ11R）／（ｒ11F−ｒ11R）＜−１．７      （７’）
さらに、条件（７）に代えて、以下の条件（７’’）を満足するとなお良い。
−１３＜（ｒ11F＋ｒ11R）／（ｒ11F−ｒ11R）＜−１．９      （７’’）
【００７１】
また、本実施形態の撮像装置は、上記のいずれかのズームレンズと、撮像面を有する撮像素子を備えることを特徴とする。このようにすることで、高い結像性能を有する小型で薄型のズームレンズを備えた撮像装置を実現できる。
【００７２】
また、ズームレンズの光学全長を短縮するには、第３レンズ群内に開口絞りがあることが効果的である。また、非点収差、球面収差及びコマ収差等の諸収差を良好に補正することを考えると、第３レンズ群における開口絞りの配置は、物体側から順に、正レンズ、開口絞りとなる配置が望ましい。
【００７３】
また、望遠端で高い結像性能を確保するには、第２レンズ群と第３レンズ群の間に、開口絞りがあることが効果的である。このようにすると、望遠端での光学系全体の対象性（屈折力配置）がよくなるため、非点収差、球面収差及びコマ収差等の諸収差を良好に補正することができる。
【００７４】
また、第４レンズ群を使ってフォーカスを行なうことを考えると、第４レンズ群は２つのレンズ成分にて構成するのが効果的である。フォーカス時の諸収差の変動、すなわち非点収差、球面収差及びコマ収差等の変動を抑えるためには、第４レンズ群は負レンズと負レンズか、負レンズと正レンズの２枚構成とすること効果的である。
【００７５】
また、本実施形態のズームレンズは、以下の条件（８）を満足することが好ましい。
−１５０ｍｍ＜ＬEXPt＜−５０ｍｍ      （８）
ここで、
ＬEXPtは、望遠端での像面からズームレンズの射出瞳位置までの距離、
である。
【００７６】
条件（８）の上限値を下回ると、第５レンズ群におけるレンズの径は多少大きくなるが、第５レンズ群が、より像側に位置する。そのため、望遠端でのズームレンズの光学全長が増大しない。条件（８）の下限値を上回ると、第５レンズ群が、より物体側に位置する。そのため、第５レンズ群におけるレンズの径が大きくならない。
【００７７】
なお、第１実施形態のズームレンズは、以下の条件（９）を満足することが好ましい。
−５＜（ｒ21F＋ｒ21R）／（ｒ21F−ｒ21R）＜０．５      （９）
ここで、
ｒ21Fは、第２レンズ群の最も像側の負レンズの物体側面の曲率半径、
ｒ21Rは、第２レンズ群の最も像側の負レンズの像面側面の曲率半径、
である。
【００７８】
条件（９）を満足することで、変倍時の第２レンズ群の移動量を抑えることができる。また、非点収差、球面収差、軸上色収差及び倍率色収差を良好に補正することができる。また、所望の長さのバックフォーカスを確保しながらも、ズームレンズの光学全長の短縮ができるので、薄型なズームレンズを得ることができる。
【００７９】
条件（９）の上限値を下回ると、軸上色収差や倍率色収差などの補正が容易になるので、高い結像性能の確保ができる。条件（９）の下限値を上回ると、望遠端でのズームレンズの光学全長が増大しないので、ズームレンズの小型化が容易となる。
【００８０】
なお、条件（９）に代えて、以下の条件（９’）を満足すると良い。
−４．８＜（ｒ21F＋ｒ21R）／（ｒ21F−ｒ21R）＜０．４      （９’）
さらに、条件（９）に代えて、以下の条件（９’’）を満足するとなお良い。
−４．６＜（ｒ21F＋ｒ21R）／（ｒ21F−ｒ21R）＜０．３      （９’’）
【００８１】
また、第１実施形態のズームレンズでは、第１レンズ群のレンズ枚数と第４レンズ群のレンズ枚数の合計が、５枚以上であることが好ましい。
【００８２】
このような構成にすることにより、望遠端での、球面収差、軸上色収差及び倍率の色収差を良好に補正できる。所望の長さのバックフォーカスを確保しながらも、ズームレンズの光学全長の短縮ができるので、薄型なズームレンズを得ることができる。
【００８３】
なお、上述のズームレンズは、上述の各構成を同時に満足してもよい。このようにすることが、良好なズームレンズを得る上で好ましい。また、好ましい構成の組み合わせは任意である。
【００８４】
また、各条件について、下限値、上限値の何れかまたは双方を限定することで、その機能をより確実にできるので好ましい。また、各条件について、より限定した条件の数値範囲の上限値あるいは下限値のみを限定しても構わない。また、条件の数値範囲を限定するにあたっては、上記の各条件の上限値又は下限値を、上記の他の条件の上限値又は下限値としても良い。
【００８５】
以下に、本発明のある態様に係るズームレンズの実施例を、図面に基づいて詳細に説明する。なお、この実施例によりこの発明が限定されるものではない。実施例５は参考例である。
【００８６】
実施例１に係るズームレンズについて説明する。図１は実施例１に係るズームレンズの無限遠物点合焦時の光学構成を示す光軸に沿う断面図（レンズ断面図）であり、（ａ）は広角端、（ｂ）は中間焦点距離状態、（ｃ）は望遠端での断面図である。なお、以下全ての実施例において、レンズ断面図中、Ｃはカバーガラス、Ｉは撮像素子の撮像面を示している。
【００８７】
図２は実施例１にかかるズームレンズの無限遠物点合焦時における収差図であって、ωは半画角である。なお、収差図における記号は、後述の実施例においても共通である。
【００８８】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【００８９】
また、（ｅ）、（ｆ）、（ｇ）、（ｈ）は、それぞれ中間焦点距離状態おける球面収差（ＳＡ）、非点収差（ＡＳ）、歪曲収差（ＤＴ）、倍率色収差（ＣＣ）を示している。
【００９０】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【００９１】
実施例１のズームレンズは、図１に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【００９２】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【００９３】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【００９４】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【００９５】
第４レンズ群Ｇ４は、両凹負レンズＬ１１からなる。
【００９６】
第５レンズ群Ｇ５は、像側に凸面を向けた正メニスカスレンズＬ１２からなる。
【００９７】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【００９８】
非球面は、両凹負レンズＬ５の両面と、両凸正レンズＬ８の両面と、両凹負レンズＬ１１の像側面と、の合計５面に設けられている。
【００９９】
次に、実施例２に係るズームレンズについて説明する。図３は実施例２に係るズームレンズの無限遠物点合焦時の光学構成を示す光軸に沿う断面図、図４は実施例２に係るズームレンズの無限遠物点合焦時における収差図である。
【０１００】
実施例２のズームレンズは、図３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１０１】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１０２】
第２レンズ群Ｇ２は、物体側に凸面を向けた負メニスカスレンズＬ４と、像側に凸面を向けた負メニスカスレンズＬ５と、両凸正レンズＬ６と、像側に凸面を向けた負メニスカスレンズＬ７と、からなる。
【０１０３】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１０４】
第４レンズ群Ｇ４は、両凹負レンズＬ１１と、物体側に凸面を向けた正メニスカスレンズＬ１２と、からなる。
【０１０５】
第５レンズ群Ｇ５は、両凸正レンズＬ１３からなる。
【０１０６】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１０７】
非球面は、負メニスカスレンズＬ５の両面と、両凸正レンズＬ８の両面と、負メニスカスレンズＬ１２の物体側面と、の合計５面に設けられている。
【０１０８】
次に、実施例３に係るズームレンズについて説明する。図５は実施例３に係るズームレンズの無限遠物点合焦時の光学構成を示す光軸に沿う断面図、図６は実施例３に係るズームレンズの無限遠物点合焦時における収差図である。
【０１０９】
実施例３のズームレンズは、図５に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１１０】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、からなる。ここで、負メニスカスレンズＬ１と正メニスカスレンズＬ２とが接合されている。
【０１１１】
第２レンズ群Ｇ２は、物体側に凸面を向けた負メニスカスレンズＬ５と、像側に凸面を向けた負メニスカスレンズＬ６と、両凸正レンズＬ７と、像側に凸面を向けた負メニスカスレンズＬ８と、からなる。
【０１１２】
第３レンズ群Ｇ３は、両凸正レンズＬ９と、開口絞りＳと、物体側に凸面を向けた負メニスカスレンズＬ１０と、両凸正レンズＬ１１と、からなる。ここで、負メニスカスレンズＬ１０と両凸正レンズＬ１１とが接合されている。
【０１１３】
第４レンズ群Ｇ４は、物体側に凸面を向けた負メニスカスレンズＬ１２からなる。
【０１１４】
第５レンズ群Ｇ５は、像側に凸面を向けた正メニスカスレンズＬ１３と、両凹負レンズＬ１４と、両凸正レンズＬ１５と、からなる。ここで、両凹負レンズＬ１４と両凸正レンズＬ１５とが接合されている。
【０１１５】
広角端から望遠端へと変倍する際に、第１レンズ群Ｇ１は物体側へ移動し、第２レンズ群Ｇ２は物体側へ移動した後、像側へ移動し、第３レンズ群Ｇ３は物体側へ移動し、第４レンズ群Ｇ４は物体側に移動し、第５レンズ群Ｇ５は固定（静止）している。
【０１１６】
非球面は、負メニスカスレンズＬ５の両面と、負メニスカスレンズＬ８の像側面と、両凸正レンズＬ９の両面と、負メニスカスレンズＬ１２の両面と、の合計７面に設けられている。
【０１１７】
次に、実施例４に係るズームレンズについて説明する。図７は実施例４に係るズームレンズの無限遠物点合焦時の光学構成を示す光軸に沿う断面図、図８は実施例４に係るズームレンズの無限遠物点合焦時における収差図である。
【０１１８】
実施例４のズームレンズは、図７に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１１９】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、からなる。ここで、負メニスカスレンズＬ１と正メニスカスレンズＬ２とが接合されている。
【０１２０】
第２レンズ群Ｇ２は、物体側に凸面を向けた負メニスカスレンズＬ５と、像側に凸面を向けた負メニスカスレンズＬ６と、両凸正レンズＬ７と、像側に凸面を向けた負メニスカスレンズＬ８と、からなる。
【０１２１】
第３レンズ群Ｇ３は、両凸正レンズＬ９と、開口絞りＳと、物体側に凸面を向けた負メニスカスレンズＬ１０と、両凸正レンズＬ１１と、からなる。ここで、負メニスカスレンズＬ１０と両凸正レンズＬ１１とが接合されている。
【０１２２】
第４レンズ群Ｇ４は、物体側に凸面を向けた負メニスカスレンズＬ１２からなる。
【０１２３】
第５レンズ群Ｇ５は、像側に凸面を向けた正メニスカスレンズＬ１３と、像側に凸面を向けた負メニスカスレンズＬ１４と、像側に凸面を向けた正メニスカスレンズＬ１５と、からなる。ここで、負メニスカスレンズＬ１４と正メニスカスレンズＬ１５とが接合されている。
【０１２４】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１２５】
非球面は、負メニスカスレンズＬ５の両面と、負メニスカスレンズＬ８の像側面と、両凸正レンズＬ９の両面と、負メニスカスレンズＬ１２の両面と、の合計７面に設けられている。
【０１２６】
次に、実施例５に係るズームレンズについて説明する。図９は実施例５に係るズームレンズの無限遠物点合焦時の光学構成を示す光軸に沿う断面図、図１０は実施例５に係るズームレンズの無限遠物点合焦時における収差図である。
【０１２７】
実施例５のズームレンズは、図９に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１２８】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１２９】
第２レンズ群Ｇ２は、物体側に凸面を向けた負メニスカスレンズＬ４と、両凹負レンズＬ５と、両凸正レンズＬ６と、両凹負レンズＬ７と、からなる。
【０１３０】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１３１】
第４レンズ群Ｇ４は、物体側に凸面を向けた負メニスカスレンズＬ１１と、像側に凸面を向けた負メニスカスレンズＬ１２と、からなる。
【０１３２】
第５レンズ群Ｇ５は、像側に凸面を向けた正メニスカスレンズＬ１３からなる。
【０１３３】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１３４】
非球面は、両凸正レンズＬ８の両面と、負メニスカスレンズＬ１２の物体側面と、の合計３面に設けられている。
【０１３５】
次に、実施例６に係るズームレンズについて説明する。図１１は実施例６に係るズームレンズの無限遠物点合焦時の光学構成を示す光軸に沿う断面図、図１２は実施例６に係るズームレンズの無限遠物点合焦時における収差図である。
【０１３６】
実施例６のズームレンズは、図１１に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１３７】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１３８】
第２レンズ群Ｇ２は、物体側に凸面を向けた負メニスカスレンズＬ４と、像側に凸面を向けた負メニスカスレンズＬ５と、両凸正レンズＬ６と、像側に凸面を向けた負メニスカスレンズＬ７と、からなる。
【０１３９】
第３レンズ群Ｇ３は、開口絞りＳと、両凸正レンズＬ８と、物体側に凸面を向けた負メニスカスレンズＬ９と、両凸正レンズＬ１０と、からなる。ここで、負メニスカスレンズＬ９と両凸正レンズＬ１０とが接合されている。
【０１４０】
第４レンズ群Ｇ４は、両凹負レンズＬ１１と、物体側に凸面を向けた負メニスカスレンズＬ１２と、からなる。
【０１４１】
第５レンズ群Ｇ５は、両凸正レンズＬ１３からなる。
【０１４２】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１４３】
非球面は、負メニスカスレンズＬ５の両面と、両凸正レンズＬ８の両面と、負メニスカスレンズＬ１２の物体側面と、の合計５面に設けられている。
【０１４４】
次に、実施例７に係るズームレンズについて説明する。図１３は実施例７に係るズームレンズの無限遠物点合焦時の光学構成を示す光軸に沿う断面図、図１４は実施例７に係るズームレンズの無限遠物点合焦時における収差図である。
【０１４５】
実施例７のズームレンズは、図１３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１４６】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【０１４７】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１４８】
第３レンズ群Ｇ３は、両凸正レンズＬ８と、開口絞りＳと、両凸正レンズＬ９と、両凹負レンズＬ１０と、両凸正レンズＬ１１と、からなる。ここで、両凸正レンズＬ９と両凹負レンズＬ１０とが接合されている。
【０１４９】
第４レンズ群Ｇ４は、両凹負レンズＬ１２からなる。
【０１５０】
第５レンズ群Ｇ５は、像側に凸面を向けた正メニスカスレンズＬ１３からなる。
【０１５１】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１５２】
非球面は、両凹負レンズＬ５の両面と、両凸正レンズＬ８の両面と、両凸正レンズＬ１１の両面と、両凹負レンズＬ１２の像側面と、の合計７面に設けられている。
【０１５３】
次に、実施例８に係るズームレンズについて説明する。図１５は実施例８に係るズームレンズの無限遠物点合焦時の光学構成を示す光軸に沿う断面図、図１６は実施例８に係るズームレンズの無限遠物点合焦時における収差図である。
【０１５４】
実施例８のズームレンズは、図１５に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１５５】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１５６】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１５７】
第３レンズ群Ｇ３は、開口絞りＳと、両凸正レンズＬ８と、物体側に凸面を向けた負メニスカスレンズＬ９と、両凸正レンズＬ１０と、からなる。ここで、負メニスカスレンズＬ９と両凸正レンズＬ１０とが接合されている。
【０１５８】
第４レンズ群Ｇ４は、物体側に凸面を向けた負メニスカスレンズＬ１１と、両凹負レンズＬ１２と、からなる。
【０１５９】
第５レンズ群Ｇ５は、両凸正レンズＬ１３からなる。
【０１６０】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１６１】
非球面は、両凹負レンズＬ５の両面と、両凸正レンズＬ８の両面と、両凹負レンズＬ１２の物体側面と、の合計５面に設けられている。
【０１６２】
次に、実施例９に係るズームレンズについて説明する。図１７は実施例９に係るズームレンズの無限遠物点合焦時の光学構成を示す光軸に沿う断面図、図１８は実施例９に係るズームレンズの無限遠物点合焦時における収差図である。
【０１６３】
実施例９のズームレンズは、図１７に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１６４】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。
【０１６５】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１６６】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１６７】
第４レンズ群Ｇ４は、両凹負レンズＬ１１からなる。
【０１６８】
第５レンズ群Ｇ５は、像側に凸面を向けた正メニスカスレンズＬ１２からなる。
【０１６９】
広角端から望遠端へと変倍する際に、第１レンズ群Ｇ１は物体側へ移動し、第２レンズ群Ｇ２は物体側へ移動した後、像側へ移動し、第３レンズ群Ｇ３は物体側へ移動し、第４レンズ群Ｇ４は物体側に移動し、第５レンズ群Ｇ５は固定（静止）している。
【０１７０】
非球面は、両凸正レンズＬ８の両面と、両凹負レンズＬ１１の両面と、の合計４面に設けられている。
【０１７１】
次に、実施例１０に係るズームレンズについて説明する。図１９は実施例１０に係るズームレンズの無限遠物点合焦時の光学構成を示す光軸に沿う断面図、図２０は実施例１０に係るズームレンズの無限遠物点合焦時における収差図である。
【０１７２】
実施例１０のズームレンズは、図１９に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１７３】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【０１７４】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１７５】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１７６】
第４レンズ群Ｇ４は、物体側に凸面を向けた負メニスカスレンズＬ１１と、両凹負レンズＬ１２からなる。
【０１７７】
第５レンズ群Ｇ５は、像側に凸面を向けた正メニスカスレンズＬ１３からなる。
【０１７８】
広角端から望遠端へと変倍する際に、第１レンズ群Ｇ１は物体側へ移動し、第２レンズ群Ｇ２は物体側へ移動した後、像側へ移動し、第３レンズ群Ｇ３は物体側へ移動し、第４レンズ群Ｇ４は物体側に移動し、第５レンズ群Ｇ５は固定（静止）している。
【０１７９】
非球面は、両凸正レンズＬ８の両面と、負メニスカスレンズＬ１１の像側面と、両凹負レンズＬ１２の両面と、の合計５面に設けられている。
【０１８０】
次に、実施例１１に係るズームレンズについて説明する。図２１は実施例１１に係るズームレンズの無限遠物点合焦時の光学構成を示す光軸に沿う断面図、図２２は実施例１１に係るズームレンズの無限遠物点合焦時における収差図である。
【０１８１】
実施例１１のズームレンズは、図２１に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１８２】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【０１８３】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１８４】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１８５】
第４レンズ群Ｇ４は、両凹負レンズＬ１１からなる。
【０１８６】
第５レンズ群Ｇ５は、像側に凸面を向けた正メニスカスレンズＬ１２からなる。
【０１８７】
広角端から望遠端へと変倍する際に、第１レンズ群Ｇ１は物体側へ移動し、第２レンズ群Ｇ２は物体側へ移動した後、像側へ移動し、第３レンズ群Ｇ３は物体側へ移動し、第４レンズ群Ｇ４は物体側に移動し、第５レンズ群Ｇ５は固定（静止）している。
【０１８８】
非球面は、負メニスカスレンズＬ７の両面と、両凸正レンズＬ８の両面と、両凸正レンズＬ１０の像側面と、両凹負レンズＬ１１の両面と、の合計７面に設けられている。
【０１８９】
次に、実施例１２に係るズームレンズについて説明する。図２３は実施例１２に係るズームレンズの無限遠物点合焦時の光学構成を示す光軸に沿う断面図、図２４は実施例１２に係るズームレンズの無限遠物点合焦時における収差図である。
【０１９０】
実施例１２のズームレンズは、図２３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０１９１】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【０１９２】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０１９３】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０１９４】
第４レンズ群Ｇ４は、両凹負レンズＬ１１からなる。
【０１９５】
第５レンズ群Ｇ５は、像側に凸面を向けた正メニスカスレンズＬ１２からなる。
【０１９６】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０１９７】
非球面は、両凸正レンズＬ８の両面と、正メニスカスレンズＬ１２の両面と、の合計４面に設けられている。
【０１９８】
次に、実施例１３に係るズームレンズについて説明する。図２５は実施例１３に係るズームレンズの無限遠物点合焦時の光学構成を示す光軸に沿う断面図、図２６は実施例１３に係るズームレンズの無限遠物点合焦時における収差図である。
【０１９９】
実施例１３のズームレンズは、図２５に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、正屈折力の第５レンズ群Ｇ５と、からなる。また、開口絞りＳは第３レンズ群Ｇ３中に配置されている。
【０２００】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、からなる。ここで、負メニスカスレンズＬ１と正メニスカスレンズＬ２とが接合されている。
【０２０１】
第２レンズ群Ｇ２は、物体側に凸面を向けた負メニスカスレンズＬ４と、両凹負レンズＬ５と、両凸正レンズＬ６と、像側に凸面を向けた負メニスカスレンズＬ７と、からなる。
【０２０２】
第３レンズ群Ｇ３は、両凸正レンズＬ８と、開口絞りＳと、物体側に凸面を向けた負メニスカスレンズＬ９と、両凸正レンズＬ１０と、からなる。ここで、負メニスカスレンズＬ９と両凸正レンズＬ１０とが接合されている。
【０２０３】
第４レンズ群Ｇ４は、両凹負レンズＬ１１からなる。
【０２０４】
第５レンズ群Ｇ５は、両凸正レンズＬ１２からなる。
【０２０５】
広角端から望遠端へと変倍する際に、第１レンズ群Ｇ１は物体側へ移動し、第２レンズ群Ｇ２は像側へ移動し、第３レンズ群Ｇ３は物体側へ移動し、第４レンズ群Ｇ４は物体側に移動し、第５レンズ群Ｇ５は固定（静止）している。
【０２０６】
非球面は、両凹負レンズＬ５の物体側面と、両凸正レンズＬ６の像側面と、負メニスカスレンズＬ７の両面と、両凸正レンズＬ８の両面と、両凸正レンズＬ１２の両面と、の合計８面に設けられている。
【０２０７】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、ズームデータにおいて、中間は中間焦点距離状態、焦点距離はズームレンズ全系の焦点距離、ＦＮＯ．はＦナンバー、ωは半画角、像高は最大像高、ｆｂはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。
【０２０８】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０２０９】
数値実施例１
単位ｍｍ
面データ
面番号       r           d             nd           νd
物面        ∞           ∞
1         70.000       1.20         1.80518       25.42
2         41.946       5.69         1.49700       81.61
3        394.498       0.29
4         36.955       4.08         1.72916       54.68
5         96.144      （可変）
6        158.252       1.00         1.91082       35.25
7         10.322       5.49
8*       -36.151       1.00         1.88202       37.22
9*       111.381       0.61
10         39.405       3.31         1.94595       17.98
11        -31.318       0.95
12        -22.000       1.00         2.00100       29.14
13        -59.444      （可変）
14*        13.134       2.93         1.58313       59.38
15*       -42.869       2.00
16（絞り）  ∞          2.00
17         24.943       1.00         1.90366       31.32
18          8.272       3.33         1.49700       81.61
19        -24.256      （可変）
20        -42.337       1.00         1.58313       59.38
21*        17.379      （可変）
22       -156.382       3.75         1.61881       63.85
23        -21.762      13.76
24          ∞          2.66         1.51633       64.14
25          ∞          1.00
像面（撮像面）∞
非球面データ
第８面
k=0.000
A4=-7.12036e-07,A6=-1.71159e-07,A8=-1.97238e-09
第９面
k=0.000
A4=-2.79307e-05,A6=-2.70047e-07,A8=-1.73748e-09
第１４面
k=-1.266
A4=2.64892e-05,A6=3.12929e-08
第１５面
k=0.000
A4=4.69689e-05,A6=-1.28520e-07
第２１面
k=-1.371
A4=5.13610e-05,A6=-5.40004e-07,A8=5.51568e-10
ズームデータ
ズーム比       8.00
広角端     中間     望遠端
焦点距離      12.62     35.64    100.96
ＦＮＯ．       4.00      5.87      6.89
画角２ω      91.50     34.20     12.33
像高          11.15     11.15     11.15
ｆｂ(in air)  16.50     16.48     16.49
全長(in air)  91.49    104.22    119.07
d5           0.88     15.02     33.00
d13         23.99      9.08      0.50
d19          3.27      8.20     12.07
d21          6.21     14.80     16.37
各群焦点距離
f1=65.67    f2=-11.28     f3=16.38    f4=-21.00     f5=40.42
【０２１０】
数値実施例２
単位ｍｍ
面データ
面番号       r           d             nd           νd
物面        ∞           ∞
1         70.000       2.10         1.80518       25.42
2         41.091       0.20
3         40.884       5.71         1.49700       81.61
4        376.252       0.15
5         39.039       3.69         1.72916       54.68
6        121.180      （可変）
7        106.652       0.90         1.91082       35.25
8         10.827       6.25
9*       -25.875       1.00         1.88202       37.22
10*      -702.716       0.59
11         94.327       2.91         1.94595       17.98
12        -30.243       1.46
13        -16.564       0.90         1.88300       40.76
14        -26.625      （可変）
15*        12.852       2.85         1.58313       59.38
16*       -35.669       2.00
17（絞り）  ∞          2.00
18         34.009       0.90         1.90366       31.32
19          8.665       3.35         1.48749       70.23
20        -18.743      （可変）
21        -60.367       0.90         1.69680       55.53
22         15.107       2.27
23*        68.537       1.44         1.52542       55.78
24         83.721      （可変）
25        161.561       4.82         1.49700       81.61
26        -22.366      12.84
27          ∞          2.66         1.51633       64.14
28          ∞          1.00
像面（撮像面）∞
非球面データ
第９面
k=-0.430
A4=-1.55333e-05,A6=-1.62525e-07,A8=-6.81520e-10
第１０面
k=0.000
A4=-4.21583e-05,A6=-1.96327e-07,A8=-4.65483e-10
第１５面
k=-1.196
A4=2.52448e-05,A6=1.41837e-07,A8=-7.39130e-10
第１６面
k=0.000
A4=7.11443e-05,A6=-1.39829e-07,A8=-4.58246e-10
第２３面
k=0.000
A4=2.16824e-06,A6=3.54736e-07,A8=2.34083e-09
ズームデータ
ズーム比       8.00
広角端     中間     望遠端
焦点距離      12.61     35.69    100.94
ＦＮＯ．       3.90      5.76      6.60
画角２ω      90.55     34.02     12.21
像高          11.15     11.15     11.15
ｆｂ(in air)  15.58     15.57     15.57
全長(in air)  95.58    106.27    119.07
d6           0.50     13.42     31.89
d14         26.61      9.97      0.50
d20          3.51      7.75     11.34
d24          2.99     13.17     13.38
各群焦点距離
f1=64.63    f2=-11.53     f3=16.26    f4=-17.65     f5=39.88
【０２１１】
数値実施例３
単位ｍｍ
面データ
面番号       r           d             nd           νd
物面        ∞           ∞
1        100.000       1.20         2.00069       25.46
2         50.930       3.15         1.49700       81.61
3         78.946       0.29
4         61.534       3.81         1.72916       54.68
5        383.781       0.30
6         45.278       3.70         1.65160       58.55
7        143.253      （可変）
8*       588.995       1.00         1.88202       37.22
9*        10.902       5.02
10        -30.000       1.00         1.88300       40.76
11       -174.262       0.30
12         68.293       2.86         1.94595       17.98
13        -33.400       0.68
14        -23.000       1.00         1.88202       37.22
15*       -63.425      （可変）
16*        12.933       3.18         1.58313       59.38
17*       -65.666       1.00
18（絞り）  ∞          2.00
19         19.661       1.00         1.90366       31.32
20          8.278       3.83         1.48749       70.23
21        -30.597      （可変）
22*       431.714       1.00         1.52542       55.78
23*        12.418      （可変）
24        -56.046       3.56         1.49700       81.61
25        -19.695       0.30
26        -82.936       1.00         1.90366       31.32
27        989.114       3.04         1.49700       81.61
28        -40.000      12.34
29          ∞          2.66         1.51633       64.14
30          ∞          1.00
像面（撮像面）∞
非球面データ
第８面
k=0.000
A4=1.74904e-05,A6=-9.35426e-08,A8=1.48532e-10
第９面
k=0.080
A4=5.18402e-07,A6=-2.49219e-08,A8=-9.25312e-10
第１５面
k=0.000
A4=-1.60054e-05,A6=-4.62673e-08,A8=-5.56590e-10
第１６面
k=-1.035
A4=2.54138e-05,A6=1.62408e-07,A8=1.26002e-10
第１７面
k=0.000
A4=4.37606e-05
第２２面
k=0.000
A4=-1.31531e-04
第２３面
k=0.000
A4=-9.70573e-05,A6=-6.06344e-07
ズームデータ
ズーム比       9.65
広角端     中間     望遠端
焦点距離      12.62     39.20    121.77
ＦＮＯ．       4.01      5.27      6.36
画角２ω      91.38     31.14     10.24
像高          11.15     11.15     11.15
ｆｂ(in air)  15.00     15.17     15.06
全長(in air)  94.51    114.67    132.06
d7           0.88     19.10     36.95
d15         25.48     10.68      0.30
d21          2.83      6.29     13.52
d23          6.09     19.19     22.00
各群焦点距離
f1=73.02    f2=-11.63     f3=16.31    f4=-24.35     f5=55.99
【０２１２】
数値実施例４
単位ｍｍ
面データ
面番号       r           d             nd           νd
物面        ∞           ∞
1        100.000       1.20         2.00069       25.46
2         51.208       3.47         1.49700       81.61
3         93.167       0.29
4         58.951       3.74         1.72916       54.68
5        299.583       0.30
6         42.295       3.41         1.65160       58.55
7        116.703      （可変）
8*      1191.958       1.00         1.88202       37.22
9*        10.778       4.99
10        -30.000       1.00         1.88300       40.76
11       -389.403       0.30
12         75.913       3.29         1.94595       17.98
13        -33.721       0.69
14        -23.000       1.00         1.88202       37.22
15*       -46.754      （可変）
16*        12.817       3.16         1.58313       59.38
17*       -67.624       1.00
18（絞り）  ∞          2.00
19         19.745       1.00         1.90366       31.32
20          8.219       3.65         1.48749       70.23
21        -28.313      （可変）
22*      3160.225       1.00         1.52542       55.78
23*        12.400      （可変）
24        -68.064       3.71         1.49700       81.61
25        -19.501       0.30
26        -63.326       1.00         1.90366       31.32
27       -250.270       2.73         1.49700       81.61
28        -40.000      12.34
29          ∞          2.66         1.51633       64.14
30          ∞          1.00
像面（撮像面）∞
非球面データ
第８面
k=0.000
A4=2.48501e-05,A6=-1.48446e-07,A8=2.77348e-10
第９面
k=0.039
A4=1.23777e-05,A6=3.51940e-08,A8=-5.62210e-10
第１５面
k=0.000
A4=-1.61200e-05,A6=-5.64022e-08,A8=-5.89993e-10
第１６面
k=-1.018
A4=2.66707e-05,A6=1.75697e-07,A8=2.04443e-10
第１７面
k=0.000
A4=4.71687e-05
第２２面
k=0.000
A4=-1.33323e-04
第２３面
k=0.000
A4=-9.95392e-05,A6=-6.58570e-07
ズームデータ
ズーム比       8.00
広角端     中間     望遠端
焦点距離      12.62     35.69    100.93
ＦＮＯ．       4.04      5.22      6.38
画角２ω      91.40     34.09     12.34
像高          11.15     11.15     11.15
ｆｂ(in air)  15.01     15.14     15.07
全長(in air)  94.24    109.60    124.07
d7           0.88     16.27     31.74
d15         25.20     10.67      0.50
d21          2.63      5.77     11.91
d23          6.27     17.51     20.60
各群焦点距離
f1=68.09    f2=-11.70     f3=16.15    f4=-23.70     f5=54.77
【０２１３】
数値実施例５
単位ｍｍ
面データ
面番号       r           d             nd           νd
物面        ∞           ∞
1         81.355       2.10         1.80518       25.42
2         44.575       0.20
3         45.076       5.31         1.49700       81.61
4        698.216       0.15
5         40.534       3.90         1.72916       54.68
6        145.355      （可変）
7        193.795       0.90         1.88300       40.80
8         11.397       5.66
9        -34.539       0.90         1.88300       40.80
10        111.611       0.82
11         26.561       2.93         1.94595       17.98
12       -218.721       0.56
13       -150.173       0.90         2.00100       29.14
14         93.211      （可変）
15*        13.485       2.86         1.58313       59.38
16*       -47.246       2.00
17（絞り）  ∞          2.00
18         18.144       0.90         1.90366       31.32
19          8.091       3.37         1.49700       81.61
20        -22.660      （可変）
21         32.071       0.90         1.59522       67.74
22          9.810       2.39
23*       -17.577       1.00         1.52542       55.78
24        -52.918      （可変）
25       -386.955       5.24         1.49700       81.61
26        -19.170      12.84
27          ∞          2.66         1.51633       64.14
28          ∞          1.00
像面（撮像面）∞
非球面データ
第１５面
k=-1.285
A4=2.45565e-05,A6=1.02426e-07,A8=-5.38572e-10
第１６面
k=0.000
A4=5.69837e-05,A6=-7.80434e-08,A8=-4.44652e-10
第２３面
k=0.000
A4=-3.10105e-05,A6=1.69209e-07,A8=2.39462e-08
ズームデータ
ズーム比       8.00
広角端     中間     望遠端
焦点距離      12.62     36.35    100.96
ＦＮＯ．       4.13      6.02      7.27
画角２ω      91.29     33.51     12.43
像高          11.15     11.15     11.15
ｆｂ(in air)  15.43     15.53     15.29
全長(in air)  92.15    103.68    117.88
d6           0.50     14.85     31.75
d14         25.37      9.45      0.50
d20          1.53      4.93      8.05
d24          4.32     13.91     17.29
各群焦点距離
f1=65.84    f2=-11.45     f3=14.68    f4=-15.94     f5=40.39
【０２１４】
数値実施例６
単位ｍｍ
面データ
面番号       r           d             nd           νd
物面        ∞           ∞
1         70.000       2.10         1.80518       25.42
2         45.071       0.20
3         45.614       5.10         1.49700       81.61
4        271.987       0.15
5         43.289       3.91         1.64000       60.08
6        159.860      （可変）
7         98.029       0.90         1.91082       35.25
8         11.330       6.12
9*       -27.731       1.00         1.85135       40.10
10*      -151.182       0.50
11         80.927       2.64         1.94595       17.98
12        -40.912       1.47
13        -18.168       0.90         1.81600       46.62
14        -33.480      （可変）
15（絞り）  ∞          1.00
16*        13.060       3.20         1.58313       59.38
17*       -36.965       3.80
18         39.969       0.90         1.90366       31.32
19          8.912       3.80         1.51823       58.90
20        -20.173      （可変）
21       -157.178       1.00         1.69680       55.53
22         19.408       1.50
23*        91.034       1.12         1.52542       55.78
24         26.894      （可変）
25        179.631       4.74         1.49700       81.61
26        -22.953      12.84
27          ∞          2.66         1.51633       64.14
28          ∞          1.00
像面（撮像面）∞
非球面データ
第９面
k=0.153
A4=-2.10594e-05,A6=-2.68527e-07,A8=3.31699e-10
第１０面
k=0.000
A4=-4.55193e-05,A6=-2.80310e-07,A8=7.62992e-10
第１６面
k=-1.195
A4=2.63742e-05,A6=2.92325e-07,A8=5.80409e-10
第１７面
k=0.000
A4=6.91830e-05,A6=7.25599e-08,A8=3.68520e-10
第２３面
k=0.000
A4=-2.50218e-05,A6=1.97337e-07,A8=2.71250e-09
ズームデータ
ズーム比       8.00
広角端     中間     望遠端
焦点距離      12.62     35.14    100.95
ＦＮＯ．       3.93      5.89      6.52
画角２ω      91.54     34.54     12.18
像高          11.15     11.15     11.15
ｆｂ(in air)  15.66     15.59     15.60
全長(in air)  95.16    106.69    127.10
d6           0.50     12.28     37.07
d14         26.45      9.59      1.50
d20          3.50      8.17     11.07
d24          3.00     15.01     15.80
各群焦点距離
f1=74.06    f2=-11.93     f3=16.64    f4=-18.00     f5=41.27
【０２１５】
数値実施例７
単位ｍｍ
面データ
面番号       r           d             nd           νd
物面        ∞           ∞
1         75.000       1.20         1.80518       25.42
2         41.201       5.66         1.55332       71.68
3        277.713       0.29
4         38.037       4.07         1.74264       50.00
5        103.863      （可変）
6        250.308       1.00         1.91082       35.25
7         10.862       5.78
8*       -52.001       1.00         1.88202       37.22
9*       137.953       0.56
10         39.159       3.39         1.94595       17.98
11        -37.205       1.00
12        -26.598       1.00         1.95060       32.85
13       -169.156      （可変）
14*        14.895       2.83         1.58313       59.38
15*       -31.596       2.00
16（絞り）  ∞          2.00
17         16.127       2.36         1.54244       59.25
18        -45.326       1.00         1.90366       31.32
19         11.394       0.74
20*        16.691       2.71         1.49700       81.61
21*       -18.315      （可変）
22        -48.404       1.00         1.58313       59.38
23*        15.326      （可変）
24        -90.768       4.30         1.54946       47.66
25        -17.710      13.41
26          ∞          2.66         1.51633       64.14
27          ∞          1.00
像面（撮像面）∞
非球面データ
第８面
k=0.000
A4=-3.51589e-05,A6=4.40664e-07,A8=-4.97029e-09
第９面
k=0.000
A4=-5.94813e-05,A6=3.43562e-07,A8=-5.36428e-09
第１４面
k=-1.346
A4=1.41523e-05,A6=8.88868e-08
第１５面
k=0.000
A4=3.87382e-05
第２０面
k=0.000
A4=-9.93538e-06,A6=2.73987e-07,A8=-1.76471e-08
第２１面
k=0.000
A4=2.05111e-07,A6=3.94701e-07,A8=-2.18233e-08
第２３面
k=0.000
A4=3.14862e-05,A6=-6.13567e-07
ズームデータ
ズーム比       8.00
広角端     中間     望遠端
焦点距離      12.62     35.69    100.96
ＦＮＯ．       3.74      5.33      6.37
画角２ω      90.95     34.01     12.34
像高          11.15     11.15     11.15
ｆｂ(in air)  16.16     16.12     16.16
全長(in air)  95.21    105.63    119.09
d5           0.88     15.60     32.56
d13         26.84     10.43      0.80
d21          2.00      6.78     10.90
d23          5.44     12.81     14.78
各群焦点距離
f1=66.00    f2=-11.75     f3=16.80    f4=-19.85     f5=39.23
【０２１６】
数値実施例８
単位ｍｍ
面データ
面番号       r           d             nd           νd
物面        ∞           ∞
1         70.000       2.10         1.80518       25.42
2         44.180       0.20
3         45.003       4.21         1.49700       81.61
4        263.429       0.15
5         41.819       3.84         1.61881       63.85
6        193.548      （可変）
7         92.165       0.90         1.91082       35.25
8         13.438       5.06
9*       -30.582       1.00         1.85135       40.10
10*       193.611       0.64
11         39.445       2.78         1.94595       17.98
12        -62.827       1.39
13        -22.308       0.90         1.88300       40.76
14        -50.340      （可変）
15（絞り）  ∞          1.00
16*        12.757       3.69         1.58313       59.38
17*       -54.689       2.63
18         29.232       0.90         1.90366       31.32
19          8.814       4.31         1.51823       58.90
20        -19.860      （可変）
21         52.043       1.00         1.69680       55.53
22         14.546       2.00
23*       -36.050       1.00         1.52542       55.78
24         35.150      （可変）
25        192.208       4.65         1.49700       81.61
26        -22.536      12.84
27          ∞          2.66         1.51633       64.14
28          ∞          1.00
像面（撮像面）∞
非球面データ
第９面
k=-0.754
A4=-1.41359e-05,A6=-8.94723e-08,A8=1.52539e-09
第１０面
k=0.000
A4=-1.24592e-05,A6=-6.29341e-08,A8=1.66805e-09
第１６面
k=-1.072
A4=3.33779e-05,A6=3.26090e-07,A8=7.26265e-11
第１７面
k=0.000
A4=8.03146e-05,A6=1.08167e-07,A8=-8.23420e-10,A10=-3.11297e-12
第２３面
k=0.000
A4=-4.36405e-05,A6=7.30537e-08,A8=5.12113e-09
ズームデータ
ズーム比       6.86
広角端     中間     望遠端
焦点距離      14.72     38.56    100.99
ＦＮＯ．       3.72      5.22      5.75
画角２ω      82.75     31.67     12.13
像高          11.15     11.15     11.15
ｆｂ(in air)  15.59     15.59     15.55
全長(in air)  95.59    104.65    119.05
d6           0.50     12.55     33.02
d14         27.54     10.82      1.50
d20          3.50      7.06      9.67
d24          4.10     14.29     14.96
各群焦点距離
f1=71.27    f2=-13.06     f3=16.04    f4=-15.17     f5=40.88
【０２１７】
数値実施例９
単位ｍｍ
面データ
面番号       r           d             nd           νd
物面        ∞           ∞
1         60.000       1.10         2.00069       25.46
2         32.697       0.20
3         32.754       3.97         1.74100       52.64
4        144.902       0.15
5         38.443       3.27         1.72916       54.68
6        176.544      （可変）
7         82.861       0.70         1.83481       42.71
8         10.825       3.66
9        -30.677       0.70         1.77250       49.60
10         60.221       0.83
11         24.497       1.62         1.94595       17.98
12       -213.236       1.39
13        -16.012       0.70         1.81600       46.62
14        -67.513      （可変）
15*        11.004       2.93         1.59201       67.02
16*       -23.395       1.80
17（絞り）  ∞          1.20
18         31.846       0.65         1.90366       31.32
19          7.861       3.09         1.51823       58.90
20        -15.403      （可変）
21*       -79.786       0.90         1.52542       55.78
22*        11.017      （可変）
23        -45.414       3.88         1.51742       52.43
24        -15.876      12.64
25          ∞          2.66         1.51633       64.14
26          ∞          1.00
像面（撮像面）∞
非球面データ
第１５面
k=-1.360
A4=3.34664e-05,A6=6.49603e-07
第１６面
k=0.000
A4=1.48580e-04
第２１面
k=0.000
A4=-2.75069e-04
第２２面
k=0.000
A4=-2.85405e-04
ズームデータ
ズーム比       6.86
広角端     中間     望遠端
焦点距離      14.28     37.40     97.91
ＦＮＯ．       4.10      5.78      6.49
画角２ω      83.51     32.32     12.58
像高          11.15     11.15     11.15
ｆｂ(in air)  15.45     15.39     15.34
全長(in air)  67.94     86.11     99.04
d6           0.50     12.71     26.29
d14         12.80      5.96      0.50
d20          2.79      5.33      7.97
d22          3.69     14.00     16.22
各群焦点距離
f1=54.17    f2=-8.87     f3=12.28    f4=-18.36     f5=45.15
【０２１８】
数値実施例１０
単位ｍｍ
面データ
面番号       r           d             nd           νd
物面        ∞           ∞
1         60.000       1.10         2.00069       25.46
2         36.809       3.45         1.72916       54.68
3        144.561       0.15
4         35.266       3.40         1.59522       67.74
5        141.357      （可変）
6         78.673       0.70         1.88300       40.80
7         10.727       3.41
8        -41.048       0.70         1.88300       40.80
9         60.729       0.82
10         22.369       1.76         1.94595       17.98
11       -148.960       1.32
12        -16.433       0.70         1.88300       40.80
13        -66.701      （可変）
14*        11.148       2.83         1.59201       67.02
15*       -25.795       1.80
16（絞り）  ∞          1.20
17         22.976       0.70         1.90366       31.32
18          7.320       2.87         1.52249       59.84
19        -16.185      （可変）
20         88.719       0.90         1.52542       55.78
21*        13.985       1.20
22*       -34.420       1.00         1.52542       55.78
23*        30.026      （可変）
24        -44.861       3.39         1.58267       46.42
25        -16.531      12.64
26          ∞          2.66         1.51633       64.14
27          ∞          1.00
像面（撮像面）∞
非球面データ
第１４面
k=-0.369
A4=-5.25719e-05,A6=4.91052e-07
第１５面
k=0.000
A4=1.39451e-04
第２１面
k=0.000
A4=-1.57512e-05,A6=2.21582e-06
第２２面
k=0.000
A4=4.71344e-05,A6=-1.58201e-06
第２３面
k=0.000
A4=1.44685e-04,A6=-4.10160e-06
ズームデータ
ズーム比       6.85
広角端     中間     望遠端
焦点距離      14.30     37.40     97.86
ＦＮＯ．       3.70      5.60      6.43
画角２ω      84.08     32.33     12.50
像高          11.15     11.15     11.15
ｆｂ(in air)  15.44     15.39     15.31
全長(in air)  67.64     83.70     99.01
d5           0.50     11.95     28.50
d13         13.67      5.63      0.50
d19          1.98      5.08      7.23
d23          2.62     12.22     14.05
各群焦点距離
f1=58.97     f2=-9.22     f3=11.92    f4=-15.16     f5=43.03
【０２１９】
数値実施例１１
単位ｍｍ
面データ
面番号       r           d             nd           νd
物面        ∞           ∞
1         60.087       1.10         2.00069       25.46
2         31.000       3.81         1.72916       54.68
3        130.072       0.15
4         34.318       3.43         1.73400       51.47
5        163.747      （可変）
6         80.474       0.70         1.88300       40.80
7         10.253       3.71
8        -30.113       0.70         1.83481       42.71
9        182.961       0.61
10         26.395       1.94         1.95906       17.47
11        -74.362       1.26
12*       -15.370       0.70         1.85135       40.10
13*      -117.084      （可変）
14*        11.144       2.57         1.59201       67.02
15*       -36.516       1.50
16（絞り）  ∞          1.50
17         14.789       0.65         1.90366       31.32
18          6.977       3.20         1.51633       64.14
19*       -18.162      （可変）
20*      -150.324       0.70         1.72903       54.04
21*        11.716      （可変）
22        -47.206       3.63         1.49700       81.61
23        -16.557      12.64
24          ∞          2.66         1.51633       64.14
25          ∞          1.00
像面（撮像面）∞
非球面データ
第１２面
k=-0.012
第１３面
k=0.000
A4=-1.48570e-05
第１４面
k=-1.076
A4=4.13203e-05,A6=5.55153e-07
第１５面
k=0.000
A4=1.20138e-04
第１９面
k=0.000
A4=7.89666e-05
第２０面
k=0.000
A4=-2.03794e-04,A6=-2.33959e-07
第２１面
k=0.000
A4=-2.15303e-04,A6=-9.23223e-07
ズームデータ
ズーム比       6.85
広角端     中間     望遠端
焦点距離      14.29     37.41     97.89
ＦＮＯ．       3.90      5.94      6.46
画角２ω      83.75     32.71     12.45
像高          11.15     11.15     11.15
ｆｂ(in air)  15.45     15.42     15.33
全長(in air)  67.15     84.24     96.03
d5           0.50     10.08     25.35
d13         12.57      5.54      0.50
d19          2.49      4.79      6.72
d21          4.26     16.54     16.25
各群焦点距離
f1=52.16     f2=-8.38     f3=11.27    f4=-14.88     f5=49.37
【０２２０】
数値実施例１２
単位ｍｍ
面データ
面番号       r           d             nd           νd
物面        ∞           ∞
1         65.234       1.40         1.84666       23.78
2         40.000       5.38         1.49700       81.61
3        142.112       0.15
4         42.739       3.61         1.81600       46.62
5        120.000      （可変）
6         81.029       0.70         1.83481       42.71
7         11.149       6.88
8        -40.379       0.70         1.88300       40.76
9         41.920       0.40
10         25.071       3.64         1.84666       23.78
11        -77.219       2.03
12        -31.741       0.70         1.49700       81.61
13       -187.786      （可変）
14*        12.230       3.38         1.58313       59.38
15*       -28.618       1.00
16（絞り）  ∞          1.50
17        390.900       0.70         1.88300       40.80
18          9.900       3.90         1.49700       81.61
19        -13.461      （可変）
20        -58.613       0.70         1.59551       39.24
21         14.000      （可変）
22*      -164.630       4.00         1.52542       55.78
23*       -21.689      12.74
24          ∞          2.66         1.51633       64.14
25          ∞          1.00
像面（撮像面）∞
非球面データ
第１４面
k=-1.026
A4=1.82483e-05,A6=4.12514e-07,A8=-4.47490e-10
第１５面
k=0.000
A4=1.19324e-04,A6=6.23383e-08,A8=-1.85963e-09
第２２面
k=0.000
A4=-4.12741e-05,A6=1.17815e-07
第２３面
k=0.000
A4=-4.15253e-05,A6=5.36222e-08
ズームデータ
ズーム比       8.00
広角端     中間     望遠端
焦点距離      12.37     35.58     98.97
ＦＮＯ．       3.61      5.33      5.83
画角２ω      92.55     34.80     12.77
像高          11.15     11.15     11.15
ｆｂ(in air)  15.51     15.50     15.52
全長(in air)  95.61    106.53    124.12
d5           0.50     14.98     36.91
d13         27.98      9.75      0.50
d19          3.85      7.53     10.80
d21          6.99     18.01     19.62
各群焦点距離
f1=76.00    f2=-12.48     f3=16.05    f4=-18.91     f5=47.09
【０２２１】
数値実施例１３
単位ｍｍ
面データ
面番号       r           d             nd           νd
物面        ∞           ∞
1         65.000       1.40         1.84666       23.78
2         40.408       5.39         1.49700       81.61
3        148.519       0.15
4         43.367       3.64         1.77250       49.60
5        129.806      （可変）
6        102.120       0.70         1.72916       54.68
7         10.740       6.87
8*       -53.754       0.70         1.52542       55.78
9         30.828       1.06
10         62.171       3.12         1.63493       23.90
11*       -33.760       1.24
12*       -20.508       0.70         1.52542       55.78
13*       -59.369      （可変）
14*        11.493       3.48         1.58313       59.38
15*       -36.204       1.00
16（絞り）  ∞          1.68
17         53.701       0.70         1.88300       40.80
18          8.323       3.82         1.49700       81.61
19        -17.545      （可変）
20       -100.992       0.70         1.66998       39.27
21         15.797      （可変）
22*       333.250       4.00         1.52542       55.78
23*       -25.969      13.84
24          ∞          2.66         1.51633       64.14
25          ∞          1.00
像面（撮像面）∞
非球面データ
第８面
k=0.000
A4=-3.79054e-06,A6=-9.01129e-08
第１１面
k=0.000
A4=1.12212e-05,A6=-3.20380e-07
第１２面
k=0.000
A4=-4.60448e-06,A6=-4.83434e-07
第１３面
k=0.000
A4=-6.22804e-05,A6=-2.22730e-07
第１４面
k=-0.960
A4=2.48978e-05,A6=3.24628e-07,A8=-2.51670e-09
第１５面
k=0.000
A4=9.22200e-05,A6=-1.15938e-07,A8=-3.13306e-09
第２２面
k=0.000
A4=-3.48589e-05,A6=7.14848e-08
第２３面
k=0.000
A4=-3.97779e-05,A6=1.67389e-08
ズームデータ
ズーム比       8.00
広角端     中間     望遠端
焦点距離      12.37     34.89     98.97
ＦＮＯ．       3.66      5.36      5.88
画角２ω      92.56     35.44     12.75
像高          11.15     11.15     11.15
ｆｂ(in air)  16.60     16.59     16.59
全長(in air)  95.07    104.49    124.09
d5           0.50     13.39     37.05
d13         27.90      9.41      0.50
d19          2.94      7.69     11.65
d21          6.77     17.04     17.94
各群焦点距離
f1=77.06    f2=-12.44     f3=16.35    f4=-20.34     f5=46.03
【０２２２】
次に、各実施例における条件式（１）〜（１４）の値を掲げる。なお、ハイフン（−）は条件式を満足しないことを示す。
条件式                  実施例１    実施例２    実施例３    実施例４
(1)β2t                     -0.72       -0.74       -0.69       -0.60
(2)β3t                     -1.11       -0.98       -0.84       -1.29
(3)β2t/β3t                 0.65        0.75        0.82        0.46
(4)Lｔ/fｔ                   1.19        1.19        1.19        1.09
(5)β2w                     -0.24       -0.25       -0.25       -0.21
(6)f1G/Lｔ                   0.55        0.54        0.59        0.55
(7)(r11F+r11R)/(r11F-r11R)  -6.35       -3.74       -5.62      -12.97
(9)(r21F+r21R)/(r21F-r21R)  -2.18       -4.29       -2.14       -2.94
(10)β                        -           -           -           -
(11)Ndp                       -           -           -           -
(12)νdp                    17.98       17.98       17.98       17.98
(13)Ndn                       -           -           -           -
(14)νdn                      -           -           -           -
条件式                  実施例５    実施例６    実施例７    実施例８
(1)β2t                     -0.59       -0.67       -0.64       -0.74
(2)β3t                     -1.17       -0.92       -0.98       -1.06
(3)β2t/β3t                 0.50        0.73        0.65        0.70
(4)Lｔ/fｔ                   1.24        1.18        1.27        1.19
(5)β2w                     -0.23       -0.24       -0.22       -0.25
(6)f1G/Lｔ                   0.54        0.55        0.58        0.55
(7)(r11F+r11R)/(r11F-r11R)  -3.54       -2.56       -6.20       -2.13
(9)(r21F+r21R)/(r21F-r21R)   0.23       -3.37       -1.37       -2.59
(10)β                        -           -           -           -
(11)Ndp                       -           -           -           -
(12)νdp                    17.98       17.98       17.98       17.98
(13)Ndn                       -           -           -           -
(14)νdn                      -           -           -           -
条件式                  実施例９    実施例１０  実施例１１
(1)β2t                     -0.68       -0.61       -0.67
(2)β3t                     -1.21       -1.12       -1.07
(3)β2t/β3t                 0.56        0.54        0.62
(4)Lｔ/fｔ                   1.02        1.02        0.99
(5)β2w                     -0.23       -0.21       -0.22
(6)f1G/Lｔ                   0.54        0.59        0.54
(7)(r11F+r11R)/(r11F-r11R)  -2.03       -2.47       -2.16
(9)(r21F+r21R)/(r21F-r21R)  -1.62       -1.65       -1.30
(10)β                        -           -           -
(11)Ndp                       -           -           -
(12)νdp                    17.98       17.98       17.47
(13)Ndn                       -           -           -
(14)νdn                    48.11         -           -
条件式                  実施例１２ 実施例１３
(1)β2t                     -0.62      -0.59
(2)β3t                     -0.92      -1.03
(3)β2t/β3t                 0.67       0.57
(4)Lｔ/fｔ                   1.26       1.26
(5)β2w                     -0.22      -0.22
(6)f1G/Lｔ                   0.61       0.62
(7)(r11F+r11R)/(r11F-r11R)  -3.38      -3.01
(9)(r21F+r21R)/(r21F-r21R)  -1.41      -2.06
(10)β                        -         2.04123
(11)Ndp                       -         1.63493
(12)νdp                    23.78      23.9
(13)Ndn                       -         1.52542
(14)νdn                    61.185     55.78
【０２２３】
図２７は、電子撮像装置としての一眼ミラーレスカメラの断面図である。図２７において、一眼ミラーレスカメラ１の鏡筒内には撮影レンズ系２が配置される。マウント部３は、撮影レンズ系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２２４】
そして、一眼ミラーレスカメラ１の撮影レンズ系２として、例えば上記実施例１〜１３に示したズームレンズが用いられる。
【０２２５】
図２８、図２９は、本実施例のズームレンズを備えた撮像装置の構成の概念図を示す。図２８は撮像装置としてのデジタルカメラ４０の外観を示す前方斜視図、図２９は同後方斜視図である。このデジタルカメラ４０の撮影光学系４１に、本実施例のズームレンズが用いられている。
【０２２６】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２２７】
図３０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２２８】
図３０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２２９】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２３０】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２３１】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２３２】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２３３】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２３４】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２３５】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２３６】
このように構成されたデジタルカメラ４０は、撮影光学系４１として本発明のズームレンズを採用することで、広画角、小型でありながら、画質を劣化させずに高解像の画像を得るのに有利な撮像装置とすることが可能となる。
【０２３７】
なお、本発明は、その趣旨を逸脱しない範囲で様々な変形例をとることができる。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２３８】
以上のように、本発明は、広い画角と所望の長さのバックフォーカスとを有し、高い結像性能を有する小型で薄型のズームレンズ、及びズームレンズを備えた撮像装置に適している。
【符号の説明】
【０２３９】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｃ…平行平板
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
0005841654.tif 000002
【図２】
0005841654.tif 000003
【図３】
0005841654.tif 000004
【図４】
0005841654.tif 000005
【図５】
0005841654.tif 000006
【図６】
0005841654.tif 000007
【図７】
0005841654.tif 000008
【図８】
0005841654.tif 000009
【図９】
0005841654.tif 000010
【図１０】
0005841654.tif 000011
【図１１】
0005841654.tif 000012
【図１２】
0005841654.tif 000013
【図１３】
0005841654.tif 000014
【図１４】
0005841654.tif 000015
【図１５】
0005841654.tif 000016
【図１６】
0005841654.tif 000017
【図１７】
0005841654.tif 000018
【図１８】
0005841654.tif 000019
【図１９】
0005841654.tif 000020
【図２０】
0005841654.tif 000021
【図２１】
0005841654.tif 000022
【図２２】
0005841654.tif 000023
【図２３】
0005841654.tif 000024
【図２４】
0005841654.tif 000025
【図２５】
0005841654.tif 000026
【図２６】
0005841654.tif 000027
【図２７】
0005841654.tif 000028
【図２８】
0005841654.tif 000029
【図２９】
0005841654.tif 000030
【図３０】
0005841654.tif 000031